(57)【要約】【課題】容器体Ａの口頸部６に塗布栓Ｂを装着させた塗布容器であって、極めて簡単な操作で確実に、また、一度に広範囲に液の吐出及び引き延ばしが行える塗布容器を提案する。【解決手段】口頸部６外周に液密に嵌合させた装着筒９を、下端開口の有頂筒状をなすカバー10内に垂設するとともに、前記カバーの頂部に口頸部内と連通する横長な吐出孔11を穿設した栓本体７と、栓本体外面にスライド可能に嵌着して栓本体上方への突出が可能に構成した延液板８とから構成した。【選択図】図３
2005187025.tif 000002
【特許請求の範囲】
【請求項１】
容器体Ａの口頸部６に塗布栓Ｂを装着させた塗布容器であって、前記塗布栓は、前記口頸部外周に液密に嵌合させた装着筒９を、下端開口の有頂筒状をなすカバー10内に垂設するとともに、前記カバーの頂部に前記口頸部内と連通する吐出孔11を穿設した栓本体７と、該栓本体外面にスライド可能に嵌着して栓本体７上方への突出が可能に構成した延液板８とからなることを特徴とする塗布容器。
【請求項２】
前記栓本体７の頂面の少なくとも両側に突部13を立設してなる請求項１記載の塗布容器。
【請求項３】
前記カバー10の周壁10a に縦設した切溝16をそれぞれ貫通する弾性腕17を前記延液板８裏面より突設し、各弾性腕17の外側に突設した係合突子17a を周壁10a 裏面に摺動可能に係合させて、延液板８を所定幅の上下動が可能に嵌合してなる請求項１記載の塗布容器。
【発明の詳細な説明】
【技術分野】
【０００１】
本発明は塗布容器に関する。
【背景技術】
【０００２】
塗布容器として、容器体の口頸部に種々の形態の塗布栓を嵌着して収納液を塗布する如く構成したものが提案されている。例えば、塗布栓に球体を備えたもの（特許文献１参照）や、注出孔より注出した液を略平坦に引き延ばして塗布することができるもの（特許文献２参照）。
【０００３】
前者は一端部に取出口が形成された容器本体と、取出口を塞いで設けられこの取出口の中心位置に透孔が形成されている中栓と、中栓上端部に設けられ上記透孔を囲む球体保持部と、球体保持部の内側に回転可能に嵌合されその一部が上記球体保持部の先端に形成された開口縁部から露出する球体が設けられ、球体が容器本体の中心軸に対して直角以外の角度で交差する仮想面に沿って形成されている。
【０００４】
また、後者は容器体の口部へ嵌着させた筒状部の先端部へ、先端の開口面が塗布面と一致する傾斜面に形成された扁平塗布部を連設したキャップ体を装着させて構成しており、容器体より注出された液を筒状部内を介して扁平塗布部先端開口より注出し、この塗布部の傾斜面で塗布した液を平坦に引き延ばす如く構成したものである。
【特許文献１】特開２００３−１１８７６１号公報
【特許文献２】実公昭４５−１４７１７号公報
【発明の開示】
【発明が解決しようとする課題】
【０００５】
前者の場合には均一かつ円滑な液の塗布を良好に行えるが、塗布部分が球状であるため、一遍に多くの面積の塗布が行い難い。その点後者は幅広な塗布が可能であるためその様な虞はないが、塗布部傾斜面が塗布面と一致する如く構成しているため、傾斜面と塗布面とを当接させると円滑な液の注出を行い難く、そのため傾斜面と塗布面とを完全に当接させずに容器を必要なだけ傾けて使用しなければならないという取り扱い難さがある。そこで本発明の目的として極めて簡単な操作で確実に、また、一度に広範囲に液の吐出及び引き延ばしが行える塗布容器を提案するものである。
【課題を解決するための手段】
【０００６】
本請求項１発明は、前記課題を解決するため、容器体Ａの口頸部６に塗布栓Ｂを装着させた塗布容器であって、前記塗布栓は、前記口頸部外周に液密に嵌合させた装着筒９を、下端開口の有頂筒状をなすカバー10内に垂設するとともに、前記カバーの頂部に前記口頸部内と連通する吐出孔11を穿設した栓本体７と、該栓本体外面にスライド可能に嵌着して栓本体７上方への突出が可能に構成した延液板８とからなることを特徴とする塗布容器として構成した。
【０００７】
本請求項２発明は、前記栓本体７の頂面の少なくとも両側に突部13を立設してなる請求項１記載の塗布容器とし構成した。
【０００８】
本請求項３発明は、前記カバー10の周壁10a に縦設した切溝16をそれぞれ貫通する弾性腕17を前記延液板８裏面より突設し、各弾性腕17の外側に突設した係合突子17a を周壁10a 裏面に摺動可能に係合させて、延液板８を所定幅の上下動が可能に嵌合してなる請求項１記載の塗布容器として構成した。
【発明の効果】
【０００９】
本発明の塗布容器は、栓本体７の頂部に横長な吐出孔11を備え、また、栓本体７外面にスライド可能に嵌着して栓本体７上方への突出が可能に構成した延液板８を設けているため、一遍に広範囲の液の塗布を均一に行える。
【００１０】
また、栓本体７の頂面の少なくとも両側に突部13を立設してなるものにあっては、塗布の際に吐出孔11が被塗布面に直接当接することがなく、被塗布面により吐出孔11が閉塞される等の不都合を生じることなく円滑な塗布を行えるものである。
【００１１】
また、前記カバー10の周壁10a に縦設した一対の切溝16をそれぞれ貫通する一対の弾性腕17を延液板８裏面より突設し、各弾性腕17の外側に突設した係合突子17a を周壁10a 裏面に摺動可能に係合させて、延液板８を所定幅の上下動が可能に嵌合してなるものにあっては、延液板８を所定の突出幅に容易にスライドさせることができて取り扱いが便利であり、また、延液板８を任意位置にとどめることが可能であるためその突出幅の微調整も容易に行える。更に、延液板８を栓本体７に容易に嵌着できる利点もある。
【発明を実施するための最良の形態】
【００１２】
図１乃至図４は本発明塗布容器の一例を示すもので、塗布容器１は、容器体Ａと、塗布栓Ｂとを備えている。
【００１３】
容器体Ａは圧搾可能な胴部４より肩部５を介して口頸部６を起立しているが、収納液の粘度等を考慮して必ずしも圧搾可能な胴部でなくても適用可能である。即ち、収納液が比較的粘度の高い場合には圧搾可能な胴部４を備えた容器体Ａを採用するが、収納液が比較的流動性の大きい場合には必ずしも圧搾が可能な胴部を備えたものでなくても機能する。      
【００１４】
塗布栓Ｂは、栓本体７と、延液板８とから構成している。栓本体７は、前記口頸部６外周に液密に嵌合させた装着筒９を、カバー10内に垂設するとともに、カバー頂部に装着した口頸部６内と連通する横長の吐出孔11を穿設している。口頸部６外周に嵌合させた装着筒９に液密性を付与する手段とし、図示例では、装着筒９内に二重筒状に垂設したシール筒12を口頸部６内周に密嵌させることにより行っているが、これに限られず、別体のパッキンを使用することも可能であり、両者を併用することも可能である。また、装着筒９は口頸部６外周に図示例の如く螺着させることにより係止させても、或いは、突条相互の乗り越え係合等の他の公知手段で係止可能に構成しても良い。
【００１５】
カバー10は、周壁10a 上端縁より頂壁10b を延設した下端開口の有頂筒状をなしており、その内部に上記装着筒９及びシール筒12を垂設しており、頂部にシール筒12内と連通させて横長の吐出孔11を穿設している。また、頂部には吐出孔11が直接被塗布面と接触するのを防止するための突部13を突設している。この突部13は少なくともカバー頂部の両側に突設する必要がある。図示例では、前部以外の両側及び後部を囲む突部13を突設して塗布方向のみに液が供給される如く構成している。またその内側下縁にはアールを形成して吐出液がコーナーに溜まり、その部分で固化してしまう等の不都合を防止している。
【００１６】
延液板８は、吐出孔11より吐出した液をその先端縁により平坦に引き延ばす役割を果たすもので、栓本体７外面にスライド可能に嵌着して栓本体７上方への突出が可能に構成している。図示例では、栓本体周壁10a の後部に常時は突出しない状態でスライド可能に嵌着しており、使用時に上方へ押上げてその先端部を栓本体７上方へ突出させる如く構成している。先端縁は液の引き延ばしの効率性を上げるために凹凸面14に形成している。また、その外面には滑り止め用の突部15を突設している。
【００１７】
延液板８を栓本体７にスライド可能に嵌着する手段は種々採用できるが、図示例では、栓本体７に縦設した一対の切溝16に、延液板８の裏面から突設した一対の弾性腕17を抜け出しを防止して摺動可能に嵌合させている。各弾性腕17は、その外側に各々突設した係合突子17a を周壁10a 裏面に摺動可能に嵌合させており、弾性腕17が上下動可能な任意の位置で係止が可能に構成している。また、各切溝16は上下端が位置決めされた所定長さに構成されており、各弾性腕17がその下端縁に当接する位置で栓本体７外面に収容され、その上端縁に当接する位置で先端部を所定の突出幅で突出できる如く構成している。尚、図１に於いて18は塗布栓Ｂ外周に着脱可能に嵌合させるカバーキャップを示し、このカバーキャップ18裏面には吐出孔11を塞ぐ棒栓19を垂設している。
【００１８】
上記の如く構成した塗布容器１を使用するに当たって、例えば、カバーキャップ18を外した後延液板８を押上げてその先端部を突出させ、図４に示す如く、被塗布面20に吐出孔11を位置させた後胴部４を圧搾し、そのまま手前に引けば吐出孔11より吐出された液が延液板８により延ばされて均一に塗布される。この際、上記突部13を設けているため、吐出孔11が直接被塗布面20と接触せず、被塗布面20により吐出孔11が閉塞されて液の吐出不良を引き起こす等の不都合がない。また、延液板８の先端縁を凹凸面14に形成しているため、吐出孔11より塗布された液が延液板８の後方に溜まる等の不都合を極力防止でき、塗布後に延液板８に付着する残液を極めて少なくできるとともに、塗布できずに延液板８に付着してしまう無駄な液を極力少なくできる。使用後は延液板８を押下げた後、カバーキャップ18を被せておく。尚、縁液板８を突出しない状態での液の塗布も勿論行える。
【００１９】
尚、上記各部材は合成樹脂により形成すると良い。
【図面の簡単な説明】
【００２０】
【図１】本発明塗布容器を示す斜視図である。（実施例１）
【図２】同実施例の分解斜視図である。（実施例１）
【図３】同実施例の縦断面図である。（実施例１）
【図４】同実施例の作用を説明する説明図である。（実施例１）
【符号の説明】
【００２１】
６…口頸部，７…栓本体，８…延液板，９…装着筒，10…カバー，10a …カバー周壁，  11…吐出孔，13…突部，16…切溝，17…弾性腕，17a …係合突子
【図１】
2005187025.tif 000003
【図２】
2005187025.tif 000004
【図３】
2005187025.tif 000005
【図４】
2005187025.tif 000006